(57)【要約】  蛍光灯のためのコントローラは、オン−オフ−オンの電源トグルスイッチを作動させるユーザに応答して、蛍光灯をオンにするように適合したトグルスイッチ配置を含み、前記オン−オフ−オンの電源トグルスイッチは、蛍光灯がオンになることをコントローラが防止する第１の導通期間を有する。【選択図】図６
2014535137.tif 000002
【特許請求の範囲】
【請求項１】
蛍光灯（２０）のためのコントローラ（１０）であって、
オン−オフ−オンの電源トグルスイッチを作動させるユーザに応答して、前記蛍光灯（２０）をオンにするように適合したトグルスイッチ配置（１２，１６）を含み、
前記オン−オフ−オンの電源トグルスイッチは、前記蛍光灯（２０）がオンになることを前記コントローラ（１０）が防止する第１の期間を有するコントローラ（１０）。
【請求項２】
前記オン−オフ−オンの電源トグルスイッチは、タイマー（１６）によって制限された非導通期間を有する、請求項１に記載のコントローラ。
【請求項３】
前記蛍光灯（２０）に接続された前記コントローラ（１０）を含むユニット（１００）における使用に適し、
前記ユニット（１００）は、ユーザ操作可能な電源スイッチ（１，２）に接続され、
前記トグルスイッチ配置（１２，１６）は、
オープンにされた前記電源スイッチ（１，２）に応答して、アクティブにされる前記タイマー（１６）と、
前記タイマー（１６）がアクティブである間、クローズにされた前記電源スイッチ（１，２）に応答して、前記蛍光灯（２０）をオンにし、クローズするように適合したメインスイッチ（１２）と、
を含む、請求項２に記載のコントローラ（１０）。
【請求項４】
前記蛍光灯（２０）に接続された前記コントローラ（１０）を含むユニット（１００）における使用に適し、
前記ユニット（１００）は、ユーザ操作可能な電源スイッチ（１，２）に接続され、
トグルスイッチ配置（１２，１４，１６）は、
初期にクローズされた前記電源スイッチに応答して、クローズするように適合した補助スイッチ（１４）と、
前記補助スイッチ（１４）がクローズ位置にある間、オープンされた電源スイッチに応答して、アクティブにされる前記タイマー（１６）と、
前記タイマー（１６）がアクティブである間、クローズされるメインスイッチ（１２）とを含み、
前記蛍光灯（２０）は、前記メインスイッチ（１２）がクローズ位置にある間、クローズされた前記電源スイッチ（１，２）に応答して、オンとなり、
前記メインスイッチ（１２）は、前記蛍光灯（２０）がオンである間、クローズのままである、請求項２に記載のコントローラ（１０）。
【請求項５】
前記補助スイッチ（１４）がオープンであるときに、タイミングコンデンサ（Ｃ３）の電荷は、前記タイマー（１６）がアクティブとなり、前記メインスイッチ（１２）がクローズするように、前記補助スイッチ（１４）がクローズ位置にあるときに、前記タイミングコンデンサ（Ｃ３）が帯電する、請求項４に記載のコントローラ。
【請求項６】
前記タイミングコンデンサ（Ｃ３）は、放電抵抗器（Ｒ９）を介して接地され、
前記タイミングコンデンサ（Ｃ３）及び前記放電抵抗器（Ｒ９）は、前記タイマーのアクティブな期間を決定する、請求項５に記載のコントローラ。
【請求項７】
前記タイマー（１６）は、少なくとも０．０１秒の期間、アクティブのままであり、及び／又は、前記タイマー（１６）は、１０秒未満の期間、アクティブのままである、請求項２〜６のいずれか一項に記載のコントローラ。
【請求項８】
第１の蛍光灯（２０）、第２の蛍光灯（４０）、及びユーザ操作可能な電源スイッチ（１ａ）をさらに含み、
前記コントローラ（１０）及び前記第１の蛍光灯（２０）は、ユニット（１００）を形成するために接続され、
前記ユニット（１００）は、前記第２の蛍光灯（４０）に並列に接続され、
前記ユニット（１００）及び前記第２の蛍光灯（４０）は、前記電源スイッチ（１ａ）が閉じている間、前記第２の蛍光灯がオンであるように、前記電源スイッチ（１ａ）に接続される、請求項１〜７のいずれか一項に記載のコントローラ（１０）を含む蛍光灯照明システム。
【請求項９】
蛍光灯（２０）をオンにする方法であって、
前記蛍光灯は、ユーザ操作可能な電源スイッチ（１，２）に接続されるコントローラ（１０）に接続され、
前記蛍光灯（２０）がオンになることを前記コントローラ（１０）が防止する第１期間、前記電源スイッチ（１，２）をクローズするステップと、
第２の期間、前記電源スイッチ（１，２）をオープンするステップと、
前記蛍光灯（２０）がオンである第３の期間、前記電源スイッチ（１，２）をクローズするステップと、
を含む方法。
【請求項１０】
前記第２の期間は、タイマー（１６）によって制限され、
前記第３の期間を開始するための前記電源スイッチ（１，２）をクローズすることは、前記第２の期間が経過する前に、行われる、請求項９に記載の方法。
【発明の詳細な説明】
【技術分野】
【０００１】
本願明細書に記載される装置及び方法は、蛍光灯器具のためのコントローラに関する。
【背景技術】
【０００２】
蛍光灯は、家庭、オフィススペース、及び照明が必要なインドア又はアウトドアの他の場所内の人工灯の光源（ｓｏｕｒｃｅ  ｏｆ  ａｒｔｉｃｉｃｉａｌ  ｌｉｇｈｔ）として一般的に用いられる。蛍光灯は、可視光をもたらすガス放電を引き起こすことにより、リン又は他の蛍光体で表面を被われたガラス管内の水銀蒸気を励起する（ｅｘｃｉｔｅ  ｍｅｒｃｕｒｙ  ｖａｐｏｕｒ）ために電気を使用することによって、機能する。蛍光灯は、白熱灯よりも高いエネルギー効率を有する。
【発明の概要】
【発明が解決しようとする課題】
【０００３】
しかしながら、白熱灯とは違い、蛍光灯器具は、低い電力レベルで蛍光管（ｆｌｕｏｒｅｓｃｅｎｔ  ｔｕｂｅ）内のアーク（ａｒｃ）を維持できないため、調光スイッチ（ｄｉｍｍｅｒ  ｓｗｉｔｃｈｅｓ）に接続できない。したがって、蛍光灯の調光効果を達成するために、互換性のある調光バラスト（ｃｏｍｐａｔｉｂｌｅ  ｄｉｍｍｉｎｇ  ｂａｌｌａｓｔ）を取り付けなければならない。そのような取り付けは、高価で労力を要し、又は、蛍光灯の全体の交換が必要である可能性さえある。このように、調光機能を有する蛍光灯器具を提供することは、高価で時間を消費する、既存の蛍光灯のバラスト及びバラストシステム（ｂａｌｌａｓｔ  ｓｙｓｔｅｍ）の再設置、又は全体の蛍光灯の交換を必要とする。
【０００４】
上述された先行技術の問題の少なくとも一つに対処する、蛍光灯のためのコントローラを開示する。
【課題を解決するための手段】
【０００５】
実施形態は、オン−オフ−オンの電源トグルスイッチ（ｏｎ−ｏｆｆ−ｏｎ  ｐｏｗｅｒ  ｔｏｇｇｌｅ）を作動させるユーザに応答して、蛍光灯をオンにするように適合したトグルスイッチ配置（ｔｏｇｇｌｅ  ａｒｒａｎｇｅｍｅｎｔ）を含む蛍光灯のためのコントローラを提供する。オン−オフ−オンの電源トグルスイッチは、蛍光灯がオンになることをコントローラが防止する第１の導通期間（ｏｎ−ｐｅｒｉｏｄ）を有する。
【０００６】
複数の蛍光灯を含む照明器具のコントローラを用いることによって、調光機能をもたらすことができる。さらに具体的には、複数の蛍光灯は、そのようなコントローラをそれぞれ取り付けられた蛍光灯の第１のグループと、そのようなコントローラのない蛍光灯の第２のグループに分類されてもよい。「明るくする」効果は、ユーザが電源を最初にオンにすることに応答して、第１のグループの残りの蛍光灯はオフのままである間、コントローラの取り付けられていない蛍光灯の第２のグループがオンになることにしたがって達成できる。ユーザが付加的なオフ−オンの電源トグルスイッチを作動させるとき、非導通期間（ｏｆｆ−ｐｅｒｉｏｄ）中、蛍光灯の第２のグループは、オフになる（そして、蛍光灯の第１のグループはオフのままである）。オフ−オンの電源トグルスイッチの次の導通期間中、蛍光灯の第１グループ及び第２のグループの両方がオンになる。このように、輝度調整可能な蛍光灯を提供する間、蛍光灯の大々的な再取り付けは回避できる。複数の蛍光灯を含むシステム内の蛍光灯の一部だけをオンにする手段は、簡単でコスト効率がよく提供できる。
【０００７】
コントローラの一実施形態では、オン−オフの電源トグルスイッチの非導通期間は、タイマーによって制限される。これは、ユーザが照明を明るくすることよりもむしろ照明をオフにすることを望む場合、調光システムを元の段階にリセットさせる。
【０００８】
コントローラは、蛍光灯に接続されたコントローラを含むユニット（ｕｎｉｔ）における使用に適している。ユニットは、ユーザが操作可能な電源スイッチに接続される。トグルスイッチ配置は、オープンされた電源スイッチ（ｐｏｗｅｒ  ｓｗｉｔｃｈ  ｂｅｉｎｇ  ｏｐｅｎｅｄ）に応答してアクティブになるタイマーを含んでもよい。トグルスイッチ配置は、電源スイッチがオープンされたことに応答して、作動されるタイマーを含んでもよい。トグルスイッチ配置は、タイマーがアクティブである間、クローズにされた電源スイッチ（ｐｏｗｅｒ  ｓｗｉｔｃｈ  ｂｅｉｎｇ  ｃｌｏｓｅｄ）に応答して、蛍光灯を点灯させ、クローズするように適合したメインスイッチを含んでもよい。
【０００９】
トグルスイッチ配置内のタイマー及びメインスイッチを提供することにより、蛍光灯がオンにされてもよく、電源が既にオンである場合のみ、タイマーの期間に対応して、短期間、電源をオフにする。コントローラを適用したいくつか、コントローラを適用していないいくつか、複数の蛍光灯を含む照明器具において、ユーザがコントローラの取り付けられていない蛍光灯の電源を最初にオンにし、後に、電源をオフにしてから素早く再びオンにすることによって、蛍光灯の全てをオンにさせる。
【００１０】
コントローラは、蛍光灯に接続されたコントローラを含むユニットにおける使用に適している。ユニットは、ユーザ操作可能な電源スイッチに接続される。トグルスイッチ配置は、電源スイッチが最初、クローズにされたことに応答して、クローズするように適合した補助スイッチを含んでもよい。さらに、トグルスイッチ配置は、補助スイッチがクローズ位置にある間、電源スイッチがオープンされたことに応答して、作動してもよいタイマーを含んでもよい。最後に、トグルスイッチ配置は、タイマーが動作している間、クローズされるメインスイッチを含んでもよい。蛍光灯は、メインスイッチがクローズ位置にある間、電源スイッチがクローズにされたことに応答してオンにされてもよい。メインスイッチは、蛍光灯がオンの間、クローズのままであってもよい。
【００１１】
コントローラは、補助スイッチがクローズ位置にあるときに帯電（ｃｈａｒｇｅｄ）されるタイミングコンデンサ（ｔｉｍｉｎｇ  ｃａｐａｃｉｔｏｒ）をさらに含んでもよい。タイミングコンデンサの電荷（ｃｈａｒｇｅ）は、タイマーを作動させ、メインスイッチをクローズの状態にとどめておくことができる。好ましい実施形態では、タイミングコンデンサは、放電抵抗器（ｄｉｓｃｈａｒｇｅ  ｒｅｓｉｓｔｏｒ）を介して接地（ｂｅ  ｃｏｎｎｅｃｔｅｄ  ｔｏ  ｇｒｏｕｎｄ）でき、静電容量及び抵抗値がタイマーの動作期間（ａｃｔｉｖｅ  ｐｅｒｉｏｄ）を決定（ｄｅｔｅｒｍｉｎｅ）する。
【００１２】
ある実施形態では、タイマーは、少なくとも０．０１秒間動作中のままでいる。
【００１３】
ある実施形態では、タイマーは、１０秒未満の期間動作中のままでいる。
【００１４】
タイマーの動作期間は、コントローラに接続された蛍光灯を点灯させ、電源がオンに戻る（ｂｅ  ｔｕｒｎｅｄ  ｂａｃｋ  ｏｎ）間、オン−オフ−オンの電源トグルスイッチの非導通期間を決定する。タイマーが経過することによって決定される非導通期間後、コントローラは、その初期状態（ｉｎｉｔｉａｌ  ｓｔａｔｅ）に戻る。この初期状態において、電源スイッチをクローズすることは、コントローラに接続された蛍光灯をオンにしない。
【００１５】
上述された任意のコントローラを含む蛍光灯照明システムも開示される。照明システムは、第１の蛍光灯、第２の蛍光灯、及びユーザが操作可能な電源スイッチをさらに含む。コントローラ及び第１の蛍光灯は、第２の蛍光灯に並列に接続されるユニットを形成するために接続される。ユニット及び第２の蛍光灯は、クローズされた電源スイッチに応答して第２の蛍光灯が点灯するように、電源スイッチに接続される。
【００１６】
この蛍光灯照明システムは、両方の蛍光灯がオフの状態、第２の蛍光灯のみがオンの「調光」状態、及び両方の蛍光灯がオンの「明るい」状態を引き起こすために用いられる。コントローラを第１の蛍光灯に適用することにより、電源をオンにすることに応答して第１の蛍光灯のみがオンになり、それからオフ（制限期間）、それからオンになる。第２の蛍光灯は、電源がオンになるときはいつでもオンになる。このように、初期の「調光」状態は、第２の蛍光灯のみがオンであるときに、電源がオンになることによって実現される。第２の「明るい」状態は、電源をオフからオンに切り換わることによって第１の蛍光灯及び第２の蛍光灯の両方が点灯するときに実現される。直射日光がある環境において、システムは、夜間に十分な照明（「明るい」状態）を提供している一方、日中（「調光」状態で）にエネルギー使用量の減少に使用できる。
【００１７】
最後に、蛍光灯をオンにする方法が開示される。蛍光灯は、ユーザが操作可能な電源スイッチに直列に接続されるコントローラに直列に接続される。方法は、蛍光灯がオンになることをコントローラが防止する第１の期間、電源スイッチをクローズするステップと、第２の期間、電源スイッチをオープンするステップと、蛍光灯がオンである第３の期間、電源スイッチをクローズするステップとを含む。第２の期間は、タイマーによって制限されてもよい。
【図面の簡単な説明】
【００１８】
好ましい実施形態は、添付した図面を参照して説明する。
【図１】電源がオフ状態であるときにコントローラを取り付けた蛍光灯の概略図を示す。
【図２】電源が最初にオンである図１の蛍光灯及びコントローラの概略図を示す。
【図３】電源が短い期間オフに切り換えられ、タイマーがアクティブのままである図１のコントローラの概略図を示す。
【図４】電源がオンに戻り、蛍光灯が点灯することをもたらす、図１のコントローラ及び蛍光灯の概略図を示す。
【図５】図１〜４に示すコントローラの一つの可能性のある実施形態を図示する回路図を示す。
【図６】二つの蛍光灯を含む蛍光灯照明システムのコントローラの概略図を示す。
【発明を実施するための形態】
【００１９】
図１は、ユニット１００を共に形成する蛍光灯２０及びバラスト（ｂａｌｌａｓｔ）３０に接続されるコントローラ１０を示す。蛍光灯２０及びバラスト３０は、電源の正端子１及び負端子２に接続されている。蛍光灯２０は、国際公開第００／２１３４２号に記載された、エネルギー節約の起動回路（ｓｔａｒｔｅｒ  ｃｉｒｃｕｉｔ）２５ａ，２５ｂに取り付けられてもよい。しかしながら、蛍光灯は、図１に示すように、起動回路２５ａ，２５ｂなしで提供されてもよい。蛍光灯２０の端子２１及び端子２２は、コントローラ１０の入力に接続される。
【００２０】
コントローラ１０は、補助スイッチ（ａｕｘｉｌｉａｒｙ  ｓｗｉｔｃｈ）１２、メインスイッチ１４、及びタイマー１６を含むトグルスイッチ配置を含む。補助スイッチ１２及びメインスイッチ１４は、電源が印加されていないときに、オープンに付勢される（ｂｉａｓｅｄ）。図１は、正端子１及び負端子２に印加される電源の、初期の継続配置（ｉｎｉｔｉａｌ，ｌａｓｔｉｎｇ  ｃｏｎｆｉｇｕｒａｔｉｏｎ）におけるコントローラ１０を示す。
【００２１】
図２は、電源が端子１，２に初期に印加された後のコントローラ１０の配置を示す。図２に示すように、電源の印加（ａｐｐｌｉｃａｔｉｏｎ  ｏｆ  ｐｏｗｅｒ）は、補助スイッチ１４がクローズし、結果として、メインスイッチ１２周辺の電流を迂回し、蛍光灯が点灯されないままとなる。
【００２２】
図３は、図２に示すように、電源が印加された期間後、端子１，２から電源が除去された状態のコントローラ１０を示す。図３において、メインスイッチ１２がクローズのままであることによって、補助スイッチ１４がオープンであることと、タイマー１６がアクティブであることを確認できる。タイマーがアクティブのままである間、電源が端子１，２に再度印加されると、コントローラ１０は、図４に示す状態に進む。しかしながら、電源が端子１，２に印加される前にタイマーが終了する場合、コントローラ１０の状態は、メインスイッチ１２及び補助スイッチ１４の両方が開放位置にある図１に示す状態に戻る。
【００２３】
図４は、電源が端子１，２に印加され、メインスイッチ１２がクローズのままであり、結果として、蛍光灯２０が点灯する、コントローラ１０の最終段階を示す。電源が端子１，２から除去されるとき、メインスイッチ１２は、オープンし、コントローラ１０は、図１に示す段階に戻る。
【００２４】
図５は、図１〜４に示す概略図のコントローラを実装するために用いてもよい回路図を示す。回路のいくつかの要素は、蛍光灯に電力を供給するためのツェナーダイオードＺＤ１に結合したサイリスタＴＨ１と同様に、抵抗要素Ｑ１，Ｑ２，及びＱ３、タイミング抵抗Ｒ８，Ｒ９に並列なタイミングコンデンサＣ３である。図１に示す状態に対応する非アクティブな状態において、図５の抵抗Ｑ１，Ｑ２，及びＱ３は、全てオープンである（即ち、ソース（ｓｏｕｒｃｅ）からシンク（ｓｉｎｋ）に電気を伝導（ｔｒａｎｓｍｉｔ）しない）。
【００２５】
電源が図２の概略図に図示する状態で示すように、初期に印加されるとき、電流が抵抗Ｒ３，Ｒ４，Ｒ５を流れ、抵抗Ｑ１，Ｑ２のゲートで電荷を帯電し、結果として、これらのゲートをオープンさせる。この抵抗Ｑ１のオープンは、抵抗Ｒ１を接地させ、結果として、ツェナーダイオードＺＤ１を接地させる。言い換えれば、サイリスタＴＨ１に具現化された「メインスイッチ」がオープンのままである。さらに、抵抗Ｑ２のオープンは、タイミングコンデンサＣ３の負極側の電荷を接地させ、結果として、「タイミング抵抗」Ｑ３がアクティブになること防止する。図２に対応する初期状態において、電荷は、タイミング抵抗Ｃ３に帯電する。
【００２６】
電源が電源端子１，２から除去されるときに、コンデンサＣ３に帯電した電荷が抵抗Ｒ８に流れ、「タイミング」抵抗Ｑ３がクローズとなる間、抵抗Ｑ１，Ｑ２は、オープン状態に戻る。したがって、タイマーは、コンデンサＣ３の電荷が抵抗Ｒ９を介してグランド（ｇｒｏｕｎｄ）に実質的に流れる（ｈａｖｅ  ｄｒａｉｎｅｄ）まで、アクティブのままである。
【００２７】
タイミングコンデンサＣ３の電荷が完全に枯渇する前に、電源が端子１，２に再び印加される場合、「タイミング抵抗」Ｑ３のゲートの電荷は、抵抗Ｒ４を接地させ、結果として、抵抗Ｑ１，Ｑ２がオープンのままである。抵抗Ｑ１がオープンで、ツェナーダイオードＺＤ１の電圧が抵抗値Ｒ１，Ｒ２に従って分割（ｓｐｌｉｔ）される。ツェナー電圧（Ｚｅｎｅｒ  ｖｏｌｔａｇｅ）を超えたとき、サイリスタＴＨ１がオープンし、蛍光灯２０が点灯する。さらに、オープン状態の抵抗Ｑ２で、抵抗Ｑ３のゲートの電荷は、グランドに流れない。したがって、抵抗Ｑ３がアクティブのままである。
【００２８】
図６は、コントローラ１０及び第１の蛍光灯２０を含むユニット１００を備える照明システムを示す。ユニット１００は、第２の蛍光灯４０に並列に接続される。ユニット１００及び第２の蛍光灯４０の両方は、電源スイッチ１ａに接続される。
【００２９】
電源スイッチ１ａは、初期にオープンになるときに、第１の蛍光灯２０及び第２の蛍光灯４０の両方は、オフになる。電源スイッチ１ａは、最初クローズされるとき、調光状態は、以下のように引き起こされる。コントローラ１０は第１の蛍光灯２０をオンに切り換わることを防止する間、第２の蛍光灯４０は、オンに切り換わる。次に、電源スイッチがオフに切り換わるとき、第１の蛍光灯２０及び第２の蛍光灯４０の両方は、オフに、コントローラ１０のタイマー１６は、アクティブになる。コントローラ１０のタイマー１６がアクティブのままの間、スイッチ１ａが再びクローズになると、明るい状態が生じ、第１の蛍光灯２０及び第２の蛍光灯４０の両方はオンになる。直射日光がある環境では、このシステムは、夜（明るい状態で）十分な照明を提供している間、スイッチ１ａを調光状態から明るい状態にシンプルに切り換えることにより日中（調光状態で）エネルギー使用量を減少するために、用いられる。
【００３０】
発明の主題から逸脱しない範囲で本願明細書に記載された実施形態に様々な修正をしてもよいことは、十分理解される。コントローラは、白熱電球での使用のために適合できる。タイマー１６がアクティブのままの間、補助スイッチ１４のオープン又は端子１，２への電源の印加のいずれかをきっかけとして、メインスイッチ１２は、クローズできる。
【００３１】
図１〜４に示すスイッチ１２，１４，タイマー１６は、図５に示す、一つの脇の様々な回路配置で実装されてもよい。代わりに、図５の概略図に示す回路要素の値は、タイマーの期間に調節する等の所望の振る舞いを提供するように、調節されてもよい。
【００３２】
他の実施形態では、二以上のコントローラは、三つ以上の蛍光灯を備えるシステムにおいて、二つより多い照明状態（ｌｉｇｈｔｉｎｇ  ｓｔａｔｅｓ）を提供するために、階層的に又は「カスケード」接続で実現されてもよい。例えば、三つの状態を有する三つの蛍光灯を備えるシステムは、実現可能である。三つの状態は、一つの蛍光灯のみが点灯する「調光」状態、二つの蛍光灯が点灯する「中間」状態、及び三つの蛍光灯が点灯する「明るい」状態がある。調光階調（ｄｉｍｍｉｎｇ  ｇｒａｄａｔｉｏｎ）は、蛍光灯の数に対応して、四つ以上の状態に拡張もできる。
【００３３】
代わりに又は付加的に、二以上のコントローラは、オン−オフ−オンのトグルスイッチの多重サイクル（ｍｕｌｔｉｐｅ  ｃｙｃｌｅｓ）後、たった一つの蛍光灯がオンになるように、直列に又は「積層（ｓｔａｃｋｅｄ」）」で接続されてもよい。例えば、積層コントローラは、オン−オフ−オン−オフ−オンの電源トグルスイッチ（二つのオフ−オンの電源トグルスイッチ）に応答して、蛍光灯が点灯するように、実現できてもよい。第１の非導通期間及び第２の非導通期間を制限するタイマーは、同一の時刻値（ｔｉｍｅ  ｖａｌｕｅ）又は異なる時刻値を保持できる。
【図１】
2014535137.tif 000003
【図２】
2014535137.tif 000004
【図３】
2014535137.tif 000005
【図４】
2014535137.tif 000006
【図５】
2014535137.tif 000007
【図６】
2014535137.tif 000008
【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
蛍光灯（２０）のためのコントローラ（１０）であって、
オン−オフ−オンの電源トグルスイッチを作動させるユーザに応答して、前記蛍光灯（２０）をオンにするように適合したトグルスイッチ配置（１２，１６）を含み、
前記オン−オフ−オンの電源トグルスイッチは、前記蛍光灯（２０）がオンになることを前記コントローラ（１０）が防止する第１の期間を有し、
前記コントローラ（１０）は、二つの端子を有し、
前記蛍光灯（２０）の反対側に形成した、前記蛍光灯（２０）の前記二つの端子（２１，２２）は、前記コントローラ（１０）の端子に接続されるコントローラ（１０）。
【請求項２】
前記オン−オフ−オンの電源トグルスイッチは、タイマー（１６）によって制限された非導通期間を有する、請求項１に記載のコントローラ。
【請求項３】
前記蛍光灯（２０）に接続された前記コントローラ（１０）を含むユニット（１００）における使用に適し、
前記ユニット（１００）は、ユーザ操作可能な電源スイッチ（１，２）に接続され、
前記トグルスイッチ配置（１２，１６）は、
オープンにされた前記電源スイッチ（１，２）に応答して、アクティブにされる前記タイマー（１６）と、
前記タイマー（１６）がアクティブである間、クローズにされた前記電源スイッチ（１，２）に応答して、前記蛍光灯（２０）をオンにし、クローズするように適合したメインスイッチ（１２）と、
を含む、請求項２に記載のコントローラ（１０）。
【請求項４】
前記蛍光灯（２０）に接続された前記コントローラ（１０）を含むユニット（１００）における使用に適し、
前記ユニット（１００）は、ユーザ操作可能な電源スイッチ（１，２）に接続され、
トグルスイッチ配置（１２，１４，１６）は、
初期にクローズされた前記電源スイッチに応答して、クローズするように適合した補助スイッチ（１４）と、
前記補助スイッチ（１４）がクローズ位置にある間、オープンされた電源スイッチに応答して、アクティブにされる前記タイマー（１６）と、
前記タイマー（１６）がアクティブである間、クローズされるメインスイッチ（１２）とを含み、
前記蛍光灯（２０）は、前記メインスイッチ（１２）がクローズ位置にある間、クローズされた前記電源スイッチ（１，２）に応答して、オンとなり、
前記メインスイッチ（１２）は、前記蛍光灯（２０）がオンである間、クローズのままである、請求項２に記載のコントローラ（１０）。
【請求項５】
前記補助スイッチ（１４）がオープンであるときに、タイミングコンデンサ（Ｃ３）の電荷は、前記タイマー（１６）がアクティブとなり、前記メインスイッチ（１２）がクローズするように、前記補助スイッチ（１４）がクローズ位置にあるときに、前記タイミングコンデンサ（Ｃ３）が帯電する、請求項４に記載のコントローラ。
【請求項６】
前記タイミングコンデンサ（Ｃ３）は、放電抵抗器（Ｒ９）を介して接地され、
前記タイミングコンデンサ（Ｃ３）及び前記放電抵抗器（Ｒ９）は、前記タイマーのアクティブな期間を決定する、請求項５に記載のコントローラ。
【請求項７】
前記タイマー（１６）は、少なくとも０．０１秒の期間、アクティブのままであり、及び／又は、前記タイマー（１６）は、１０秒未満の期間、アクティブのままである、請求項２〜６のいずれか一項に記載のコントローラ。
【請求項８】
第１の蛍光灯（２０）、第２の蛍光灯（４０）、及びユーザ操作可能な電源スイッチ（１ａ）をさらに含み、
前記コントローラ（１０）及び前記第１の蛍光灯（２０）は、ユニット（１００）を形成するために接続され、
前記ユニット（１００）は、前記第２の蛍光灯（４０）に並列に接続され、
前記ユニット（１００）及び前記第２の蛍光灯（４０）は、前記電源スイッチ（１ａ）が閉じている間、前記第２の蛍光灯がオンであるように、前記電源スイッチ（１ａ）に接続される、請求項１〜７のいずれか一項に記載のコントローラ（１０）を含む蛍光灯照明システム。
【国際調査報告】
2014535137.tif 000009
2014535137.tif 000010
2014535137.tif 000011